(57)【要約】      （修正有）【課題】効率よく放熱を行うことのできる制御基板を備えたプリンタ装置を提供する。【解決手段】プリンタ装置１０は、上面にメディアが載置されるテーブルと、テーブルの上方において左右に移動可能に設けられたキャリッジと、キャリッジの後部から後方に突出し、絶縁体によって構成されたプリント配線板の表面に、通電性を有する金属箔によって構成された金属層５２、及び、この金属層の一部に重ねられ金属層を保護するレジスト層が形成され、キャリッジを制御する制御基板５０と、金属層が露出している部位に底部３３ａが重ねられ制御基板に熱を伝えて放熱を行う放熱部材３３と、放熱部材の縦壁部３３ｂに接触して設けられ、通電されることにより熱が上がる電子部品３４と、を有している。【選択図】図３
2020015238.tif 000002
【特許請求の範囲】
【請求項１】
上面にメディアが載置されるテーブルと、
このテーブルの上方において左右に移動可能に設けられ、前記メディアへインクを吐出するプリントヘッドが内蔵されたキャリッジと、
このキャリッジの後部に支持されると共に前記キャリッジから後方に突出し、絶縁体によって構成されたプリント配線板の表面に、通電性を有する金属箔によって構成された金属層、及び、この金属層の一部に重ねられ前記金属層を保護するレジスト層が形成され、前記キャリッジを制御する制御基板と、
この制御基板の表面であって、前記金属層が露出している部位に底部が重ねられ、前記底部の両端からそれぞれ立ち上げられた縦壁部と共に略Ｕ字溝状に形成された部位を含み、前記制御基板に熱を伝えて放熱を行う放熱部材と、
この放熱部材の前記縦壁部に接触して設けられると共に、前記制御基板に実装された電子部品と、を有していることを特徴とするプリンタ装置。
【請求項２】
前記縦壁部は、共に前記キャリッジの移動方向に沿って設けられていることを特徴とする請求項１記載のプリンタ装置。
【請求項３】
上端が前記制御基板の表面より上方に位置し、前記縦壁部の間に送風可能であり、かつ、下端が前記制御基板の裏面より下方に位置し、前記制御基板の裏面に送風可能であるファンをさらに備えていることを特徴とする請求項１又は請求項２記載のプリンタ装置。
【請求項４】
前記ファン及び前記放熱部材を覆い１枚板によって構成されたカバー部材をさらに備え、
前記カバー部材は、前記ファン及び前記放熱部材の上方を覆っている上面部と、この上面部の端部が下方に折り曲げられ前記ファンが空気を吸い込む吸い込み口を覆っている一方側端面部と、上面部の端部が下方に折り曲げられ前記放熱部材の端部のうち前記ファンから離間している端部を覆っている他方側端面部と、を有し、
前記一方側端面部及び前記他方側端面部には、上下に長いスリットが開けられていることを特徴とする請求項３記載のプリンタ装置。
【請求項５】
前記放熱部材を覆い１枚板によって構成されたカバー部材をさらに備え、
前記カバー部材は、前記放熱部材の上方を覆っている上面部と、この上面部の端部が下方に折り曲げられ前記電子部品を覆っている側面部と、を有し、
この側面部の下端は、前記制御基板の表面に対して離間していることを特徴とする請求項１又は請求項２記載のプリンタ装置。
【請求項６】
前記カバー部材は、前記側面部の下端を起点として、前記電子部品から離れる方向に突出した突出部を有していることを特徴とする請求項５記載のプリンタ装置。
【発明の詳細な説明】
【技術分野】
【０００１】
本発明は、立体的なメディアに印刷可能なプリンタ装置に関する。
【背景技術】
【０００２】
プリンタ装置として、立体的なメディアに印刷可能なフラットベットタイプと称するプリンタ装置が知られている。このようなプリンタ装置に関する従来技術として特許文献１に開示される技術がある。
【０００３】
特許文献１に示されるような、プリンタ装置は、上面にメディアが載置され前後及び上下に移動可能なフラットテーブルと、このフラットテーブルの移動領域の上方において左右に移動可能であると共にメディアにインクを吐出するプリントヘッドが内蔵されたキャリッジと、このキャリッジから後方に突出しキャリッジを制御する制御基板と、を備えている。
【０００４】
メディアを上面に載置してフラットテーブルを前後及び上下に移動させると共に、キャリッジを左右に移動させながら、プリントヘッドがインクを吐出することによりメディアに印刷を行う。
【先行技術文献】
【特許文献】
【０００５】
【特許文献１】特許第５７５１９４８号公報
【発明の概要】
【発明が解決しようとする課題】
【０００６】
フラットベットタイプのプリンタ装置において、制御基板が設けられる部位は、キャリッジの後方の限られたスペースである。制御基板には、電子部品が実装されており、電子部品は、プリンタの作動中に高温となる。限られたスペースにおいて効率よく放熱を行うことが求められる。
【０００７】
本発明は、効率よく放熱を行うことのできる制御基板を備えたプリンタ装置の提供を課題とする。
【課題を解決するための手段】
【０００８】
本発明によれば、上面にメディアが載置されるテーブルと、
このテーブルの上方において左右に移動可能に設けられ、前記メディアへインクを吐出するプリントヘッドが内蔵されたキャリッジと、
このキャリッジの後部に支持されると共に前記キャリッジから後方に突出し、絶縁体によって構成されたプリント配線板の表面に、通電性を有する金属箔によって構成された金属層、及び、この金属層の一部に重ねられ前記金属層を保護するレジスト層が形成され、前記キャリッジを制御する制御基板と、
この制御基板の表面であって、前記金属層が露出している部位に底部が重ねられ、前記底部の両端からそれぞれ立ち上げられた縦壁部と共に略Ｕ字溝状に形成された部位を含み、前記制御基板に熱を伝えて放熱を行う放熱部材と、
この放熱部材の前記縦壁部に接触して設けられると共に、前記制御基板に実装された電子部品と、を有していることを特徴とするプリンタ装置が提供される。
【発明の効果】
【０００９】
本発明では、制御基板の金属層が露出している部位には、略Ｕ字溝状に形成された部位を含む放熱部材の底部が重ねられている。加えて、放熱部材の縦壁部には、電子部品が接触している。電子部品が発した熱は、放熱部材を介して制御基板に伝わる。制御基板を利用して放熱を行うため、放熱のために広い表面積を確保することができ、効率よく放熱を行うことができる。本発明によれば、効率よく放熱を行うことのできる制御基板を備えたプリンタ装置を提供することができる。特に、放熱部材は、金属箔によって形成された金属層に載せられている。このため、レジスト層に載置された場合に比べて、より効率よく熱を制御基板に伝えることができる。
【図面の簡単な説明】
【００１０】
【図１】本発明の実施例によるプリンタ装置の斜視図である。
【図２】図１に示されたキャリッジ及び基板ユニットの斜視図である。
【図３】図２に示された基板ユニットの分解斜視図である。
【図４】図２の４−４線断面図である。
【図５】図４の５−５線断面図である。
【発明を実施するための形態】
【００１１】
本発明の実施の形態を添付図に基づいて以下に説明する。なお、図中Ｆｒは前、Ｒｒは後、Ｌｅは左、Ｒｉは右、Ｕｐは上、Ｄｎは下を示している。
＜実施例＞
【００１２】
［プリンタ装置１０について］
図１を参照する。プリンタ装置１０は、いわゆるフラットベットタイプのプリンタ装置である。プリンタ装置１０は、例えば、コンピュータＣｏに接続され、立体的なメディアＭｅに印刷するのに用いられる。
【００１３】
より詳細には、コンピュータＣｏに予めインプットされたメディアＭｅの情報や、印刷する図柄の情報に基づき、メディアＭｅを上下前後に移動させながら印刷を行う。左右方向へは、インクを吐出するためのプリントヘッドが内蔵されたキャリッジ１９を移動させる。
【００１４】
プリンタ装置１０は、前部に開口１３ａが形成されたケース１３と、このケース１３に支持され上下にスイング可能に設けられた蓋体１４と、を有している。
【００１５】
プリンタ装置１０は、印刷作業時には、蓋体１４によって開口１３ａを閉じる。メディアのセット時や取り出し時には、蓋体１４を上方に退避させて、ケース１３の前方を開口させて用いる。
【００１６】
プリンタ装置１０は、前後方向に延びる前後レール１５と、この前後レール１５上に支持され上面２２ａにメディアＭｅが載置されるフラットテーブル２０（テーブル２０）と、このフラットテーブル２０を覆いメディアＭｅの上端が所定の高さよりも高い位置に位置していることを検出するメディア位置検出機構１７と、を有している。
【００１７】
図２を併せて参照する。プリンタ装置１０は、さらに、メディア位置検出機構１７の上方において左右方向に延びる左右レール１８と、この左右レール１８に支持されメディアＭｅにインクを吐出するプリントヘッド１９ａが内蔵されたキャリッジ１９と、このキャリッジ１９に支持されていると共に後方に突出しキャリッジ１９を制御する制御基板ユニット３０と、がケース１３の内部に設けられている。
【００１８】
［メディアＭｅについて］
図１のみを参照する。印刷対象としてのメディアＭｅには、文房具、スマートフォンケース、ゴルフボール等任意の物を採用することができる。これらの立体的な物の他、メディアＭｅには、平面的な物を採用することもできる。
【００１９】
［ケース１３について］
ケース１３は、表面の端部に操作者が操作を行う操作部１３ｂを備えている。操作者が行う操作部１３ｂの操作に基づいて、フラットテーブル２０等が作動する。
【００２０】
［蓋体１４について］
蓋体１４は、ケース１３に設けられた左右のダンパ１４ａ、１４ａを介してケース１３に支持されている。ダンパ１４ａ、１４ａは、蓋体１４のスイングに合わせてスイングすると共に伸縮する。
【００２１】
［フラットテーブル２０について］
フラットテーブル２０は、前後レール１５上に設けられ前後方向に移動可能なテーブル基部２１と、このテーブル基部２１の内部に設けられた昇降機構によって支持され上面２２ａにメディアＭｅが載置されるテーブル本体２２と、を有している。フラットテーブル２０の上面２２ａに載置されたメディアＭｅは、前後及び上下に移動可能である。
【００２２】
［メディア位置検出機構１７について］
メディア位置検出機構１７は、プリントヘッド１９ａ（図２参照）へのメディアＭｅの接触を防止するために設けられている。メディア位置検出機構１７は、フラットテーブル２０の移動領域の上方に前後方向にスイング可能に設けられたメディア当接部１７ａを有している。メディア当接部１７ａは、プリントヘッド１９ａ（図２参照）の下端と略同じ高さに設けられている。
【００２３】
メディアＭｅがメディア当接部１７ａに接触した状態でフラットテーブル２０が前進すると、メディアＭｅに押されてメディア当接部１７ａが前方に向かってスイングする。メディア当接部１７ａがスイングしていることをセンサによって検知し、メディアＭｅの上端がプリントヘッド１９ａの下端よりも高い位置に位置していることを検出することができる。この場合には、例えば、フラットテーブル２０の移動を停止する。これにより、メディアＭｅがプリントヘッド１９ａに当接することを防止する。
【００２４】
［キャリッジ１９について］
図２を併せて参照する。キャリッジ１９は、フラットテーブル２０の移動領域の上方において左右に移動可能であり、インクを吐出する複数のプリントヘッド１９ａを内蔵している。キャリッジ１９の側面には、吐出されたインクに紫外線を照射する紫外線照射部１９ｂが設けられている。
【００２５】
プリントヘッド１９ａは、吐出されるインクの色に応じて設けられている。プリントヘッド１９ａから吐出されるインクは、紫外線硬化型のインクが採用される。プリントヘッド１９ａから吐出されたインクに、紫外線照射部１９ｂが紫外線を照射する。これにより、インクを短時間で硬化させることができる。
【００２６】
［制御基板ユニット３０について］
制御基板ユニット３０は、左右レール１８の上方に位置し、キャリッジ１９と共に左右方向に移動可能である。
【００２７】
図３を参照する。制御基板ユニット３０は、キャリッジ１９（図２参照）に固定されたステー４０と、このステー４０に支持された制御基板５０と、この制御基板５０の表面に設けられ放熱を行うための放熱部材３３と、この放熱部材３３に接触して設けられていると共に制御基板５０に実装されたトランジスタ３４（電子部品３４）と、放熱部材３３に送風可能にステー４０に支持されたファン３５と、これらの制御基板５０、放熱部材３３、トランジスタ３４及びファン３５を覆っているカバー部材６０と、を有する。
【００２８】
［ステー４０について］
ステー４０は、キャリッジ１９に固定された第１のステー４１と、この第１のステー４１の左に連結されファン３５を支持している第２のステー４２と、第１のステー４１の右に連結された第３のステー４３と、第１のステー４１の後部に連結され上面が制御基板５０に当接している第４のステー４４と、を有している。
【００２９】
第１のステー４１は、中央に穴４１ａがあけられ略水平に設けられた第１のステー底部４１ｂと、この第１のステー底部４１ｂの前端部から下方に折り曲げられキャリッジ１９に固定されるキャリッジ固定部４１ｃと、を有する。穴４１ａは、軽量化及び制御基板５０の冷却を目的に形成されている。穴４１ａは、制御基板５０の裏面であって、表面に放熱部材３３が配置されている部位に重なるように形成されている。
【００３０】
第２のステー４２は、第１のステー底部４１ｂから連続している第２のステー底部４２ｂと、この第２のステー底部４２ｂの左の端部から立ち上げられた第２のステー壁部４２ｃと、この第２のステー壁部４２ｃの上端から内側に向かって３か所が折り曲げられて形成され制御基板５０が載せられている左部基板支持部４２ｄと、を有する。
【００３１】
第３のステー４３は、第１のステー底部４１ｂから連続している第３のステー底部４３ｂと、この第３のステー底部４３ｂの右の端部から立ち上げられた第３のステー壁部４３ｃと、この第３のステー壁部４３ｃの上端から内側に向かって３か所が折り曲げられて形成され制御基板５０が載せられている右部基板支持部４３ｄと、を有する。
【００３２】
第４のステー４４は、第１のステー底部４１ｂに重ねられると共に固定された第４のステー固定部４４ｂと、この第４のステー固定部４４ｂの後端部から立ち上げられた第４のステー壁部４４ｃと、この第４のステー壁部４４ｃの上端から後方に折り曲げられ制御基板５０を支持する後部基板支持部４４ｄと、を有する。
【００３３】
後部基板支持部４４ｄは、中央に穴４４ｅが開けられている。穴４４ｅは、軽量化及び制御基板５０の冷却を目的に形成されている。
【００３４】
［制御基板５０について］
図４を併せて参照する。制御基板５０は、各基板支持部４２ｄ、４３ｄ、４４ｄに載置され、ねじ等の締結具を介してステー４０に固定されている。一方、制御基板５０の裏面５０ｂとステー４０との間は、各基板支持部４２ｄ、４３ｄ、４４ｄが接触している部位を除いて空間とされている。
【００３５】
図５を参照する。制御基板５０には、一般的なプリント配線基板を採用することができる。制御基板５０は、板状の絶縁体によって構成されたプリント配線板５１と、このプリント配線板５１の表面に印刷された銅箔によって構成された金属層５２と、この金属層５２の一部に重ねられ金属層５２を保護するレジスト層５３と、を有する。
【００３６】
なお、金属層５２は、通電性を有する金属箔であれば、銅以外の金属を採用することもできる。
【００３７】
図３を参照する。制御基板５０には、トランジスタ３４以外にも、コンデンサ５５やコネクタ５６等の部品が実装されている。左右方向に並べて配置されたトランジスタ３４の間には、金属層５２が露出している。
【００３８】
［放熱部材３３について］
図５を併せて参照する。放熱部材３３は、例えば、金属板をプレス成形により、所定の形状に成形してなる。放熱部材３３は、制御基板５０の表面５０ａであって、金属層５２が露出している部位に配置されている。放熱部材３３は、制御基板５０に熱を伝えて放熱を行う。
【００３９】
放熱部材３３は、金属層５２に接触している底部３３ａと、この底部３３ａから立ち上げられ互いに対向している縦壁部３３ｂ、３３ｂと、これらの縦壁部３３ｂ、３３ｂの上端から互いに離間するように延びる鍔部３３ｃ、３３ｃと、を有している。放熱部材３３は、底部３３ａ、及び、縦壁部３３ｂ、３３ｂによって構成される、断面の形状が略Ｕ字溝状の部位を含む。
【００４０】
縦壁部３３ｂ、３３ｂは、共にキャリッジの移動方向に沿って（左右方向に向かって）設けられている。
【００４１】
［トランジスタ３４（電子部品３４）について］
図４及び図５を参照する。電子部品としてのトランジスタ３４は、制御基板５０に実装されていると共に、ねじ３７を介して縦壁部３３ｂに固定されている。
【００４２】
トランジスタ３４は、それぞれの縦壁部３３ｂ、３３ｂが対向している対向面の裏面に接触している。これにより、縦壁部３３ｂ、３３ｂの間に熱が篭ることを抑制し、より効率よくトランジスタ３４を冷却することができる。
【００４３】
［ファン３５について］
図３及び図４を参照する。ファン３５は、第２のステー壁部４２ｃに固定されている。ファン３５は、下端３５ｂが制御基板５０の裏面５０ｂより下方に位置し、上端３５ａが制御基板５０の表面５０ａより上方に位置する。ファン３５は、縦壁部３３ｂ、３３ｂの間、及び、制御基板５０の表面５０ａ及び裏面５０ｂに送風可能である。ファン３５の中心３５ｃは、制御基板５０よりも上方に位置する。
【００４４】
なお、ファン３５は、送風方向を基準として下流側に配置されても良い。この場合においても、ファン３５は、下流側（図面右側）に向かって送風を行う。送風することにより、上流側の空気が引き込まれ、風の流れが発生する。即ち、上流側の部位も間接的にファン３５によって送風が行われる。
【００４５】
［カバー部材６０について］
カバー部材６０は、１枚板によって構成され、制御基板５０の上方を覆っている。ファン３５、放熱部材３３、トランジスタ３４は、カバー部材６０によって覆われている。
【００４６】
図４及び図５を参照する。カバー部材６０は、ファン３５及び放熱部材３３の上方を覆っている上面部６１と、この上面部６１の端部が下方に折り曲げられファン３５が空気を吸い込む吸い込み口３５ｄを覆っている左側端面部６２（上流側端面部６２・一方側端面部６２）と、上面部６１の端部が下方に折り曲げられ放熱部材３３の端部のうちファン３５から離間している端部を覆っている右側端面部６３（下流側端面部６３・他方側端面部６３）と、上面部６１の端部が下方に折り曲げられトランジスタ３４の前面を覆っている側面部６４と、この側面部６４の下端を起点として、トランジスタ３４から離れる方向に突出した突出部６５と、を有している。
【００４７】
上面部６１のうち、放熱部材３３の上方を覆っている部位には、前後方向に長いスリット６１ａが開けられている。
【００４８】
左側端面部６２及び右側端面部６３には、上下に長いスリット６２ａ、６３ａがそれぞれ開けられている。左側端面部６２の下端は、ファン３５の下面に沿ってステー４０（図３参照）に向かって延び、先端がステー４０に固定されている。つまり、ファン３５は、カバー部材６０によって、風を送り出す送風口３５ｅ以外の部位が覆われている。これにより、ファン３５からの風を放熱部材３３に向かって導くことができる。
【００４９】
側面部６４の下端は、制御基板５０の表面５０ａに対して離間している。
【００５０】
以上に説明した本発明の作用を説明する。
【００５１】
図５を参照する。プリンタ装置１０が作動すると、トランジスタ３４は、発熱する。トランジスタ３４の発した熱は、トランジスタ３４が接触している放熱部材３３に伝えられる。放熱部材３３に伝えられた熱は、金属層５２を介して制御基板５０に伝えられる。
【００５２】
図４を参照する。プリンタ装置１０の作動中は、ファン３５が作動している。ファン３５から送られた風の一部は、制御基板５０の表面５０ａを伝って、放熱部材３３の縦壁部３３ｂ、３３ｂの間を流れると共に、直接的にトランジスタ３４に当たる。ファン３５から送られた風の他の一部は、制御基板５０の裏面５０ｂを伝って流れる。これにより、トランジスタ３４、放熱部材３３、及び、制御基板５０は、冷却される。
【００５３】
さらには、キャリッジ１９（図２参照）は、左右方向に移動する。ファン３５、及び、放熱部材３３は、キャリッジ１９の移動方向に沿って配置されていると共に、カバー部材６０のファン３５を覆っている部分には、スリット６２ａが設けられている。これにより、キャリッジ１９が移動することにより発生する走行風の一部は、スリット６２ａからカバー部材６０の内部に入り、トランジスタ３４、放熱部材３３、及び、制御基板５０を冷却する。
【００５４】
以上に説明した本発明は、以下の効果を奏する。
【００５５】
図５を参照する。制御基板５０の金属層５２が露出している部位には、断面形状が略Ｕ字状に形成された部位を含む放熱部材３３の底部３３ａが重ねられている。加えて、放熱部材３３の縦壁部３３ｂには、トランジスタ３４が接触している。トランジスタ３４が発した熱は、放熱部材３３を介して制御基板５０に伝わる。制御基板５０を利用して放熱を行うため、放熱のために広い表面積を確保することができ、効率よく放熱を行うことができる。本発明によれば、効率よく放熱を行うことのできる制御基板５０を備えたプリンタ装置１０を提供することができる。
【００５６】
特に、放熱部材３３は、金属箔によって形成された金属層５２に載せられている。このため、レジスト層５３に載置された場合に比べて、より効率よく熱を制御基板５０の全体に伝えることができる。
【００５７】
加えて、トランジスタ３４は、縦壁部３３ｂ、３３ｂに接触している。底部３３ａに直接的に接触させた場合に比べ、底部３３ａから立ち上げられた縦壁部３３ｂ、３３ｂに接触させることにより、トランジスタ３４を接触させるための部位をより広く確保することができる。より多くのトランジスタ３４を接触させることができ、有益である。
【００５８】
図３及び図４を参照する。縦壁部３３ｂ、３３ｂは、共にキャリッジ１９（図２参照）の移動方向に沿って設けられている。キャリッジ１９が移動した際の走行風を縦壁部３３ｂ、３３ｂの間に導くことができる。走行風を利用することにより、より効率的にトランジスタ３４を冷却することができる。
【００５９】
ファン３５は、下端が制御基板５０の裏面５０ｂより下方に位置し、上端が制御基板５０の表面５０ａより上方に位置する。これにより、縦壁部３３ｂ、３３ｂの間、底部３３の上部、制御基板５０の表面５０ａ、及び、裏面５０ｂに送風することができる。放熱部材３３及び放熱部材３３からの熱が伝わる制御基板５０の両面５０ａ、５０ｂに送風を行うことにより、効率よくトランジスタ３４を冷却することができる。
【００６０】
左側端面部６２及び右側端面部６３は、上面部６１の端部が折り曲げられて形成され、上下に長いスリット６２ａ、６３ａが開けられている。折り曲げられた方向に沿ってスリット６２ａ、６３ａは、形成されている。スリット６２ａ、６３ａが水平方向に形成されている場合に比べて、高い曲げ剛性を得ることができる。
【００６１】
図５を参照する。カバー部材６０の側面部６４の下端は、制御基板５０の表面に対して離間している。側面部６４と制御基板５０との間から空気を取り込むことができる。放熱部材３３やトランジスタ３４を保護しつつ、カバー部材６０で覆われた部位に熱が篭ることを抑制することができる。
【００６２】
カバー部材６０は、側面部６４の下端を起点として、トランジスタ３４から離れる方向に突出した突出部６５を有している。側面部６４の曲げ剛性を高め、側面部６４及び制御基板５０の間の隙間を確実に確保することができる。
【００６３】
尚、本発明によるプリンタ装置は、紫外線硬化型のインクを用いるプリンタ装置を例に説明したが、インクは、紫外線硬化型のインクに限られない。つまり、他のタイプのインクであっても適用可能であり、これらの形式のものに限られるものではない。
【００６４】
また、本発明は、ロール・トゥー・ロールタイプの印刷媒体に対して印刷を行うインクジェットプリンタ装置にも適用することができる。この場合、印刷媒体は固定されたプラテン上を上流から下流に向かって移動し、キャリッジに対しては上下方向に一定の距離を保つ。
【００６５】
本発明の作用及び効果を奏する限りにおいて、本発明は、実施例に限定されるものではない。
【産業上の利用可能性】
【００６６】
本発明のプリンタ装置は、立体的なメディアに印刷を行うプリンタ装置に好適である。
【符号の説明】
【００６７】
１０…プリンタ装置
１９…キャリッジ
１９ａ…プリントヘッド
２０…フラットテーブル（テーブル）
３３…放熱部材
３３ａ…底部
３３ｂ…縦壁部
３４…トランジスタ（電子部品）
３５ａ…上端
３５ｂ…下端
５０…制御基板
５０ａ…表面
５０ｂ…裏面
５１…プリント配線板
５２…金属層
５３…レジスト層
６０…カバー部材
６１…上面部
６２…左側端面部（上流側端面部・一方側端面部）
６２ａ…スリット
６３…右側端面部（下流側端面部・他方側端面部）
６３ａ…スリット
６４…側面部
６５…突出部
Ｍｅ…メディア
【図１】
2020015238.tif 000003
【図２】
2020015238.tif 000004
【図３】
2020015238.tif 000005
【図４】
2020015238.tif 000006
【図５】
2020015238.tif 000007